(57)【要約】【課題】小水又は洗浄用水等の水分による洋式便器及び洋式便器周辺の汚損を抑制することができ、無用に脱落及び位置ずれすることなく、且つ取り外し易い便器用吸液具を提供する。【解決手段】便器上縁２ｂに便器用吸液具１が配されていると、吸水層１１が水分を吸収するため、水分による便器２１及び便器２１周辺の汚損が抑制される。指持部１２は、吸水層１１に突設されており、便器２１に無用に接着せず、しかも、便器上縁２ｂから突出する。従って、指持部１２に指を引っ掛けて吸水層１１を持ち上げることによって吸水層１１と便器２１との間に空隙を設ければ、吸水層１１を容易に摘持して便器用吸液具１を容易に取り外すことができる。接着層は吸水層１１の下面における長手方向両端部以外に全面的に設けられているため、便器用吸液具１の便器上縁２ｂに対する接着面は広い。故に、便器用吸液具１は無用に脱落及び位置ずれし難い。【選択図】図３
0003189052.tif 000002
【実用新案登録請求の範囲】
【請求項１】
上部に開口を有する洋式便器の前記開口を縁取る上縁の形状に対応する弧帯状の平面形状を有する吸水層と、
前記上縁に着脱可能に接着する接着層と
を備える便器用吸液具において、
前記吸水層の幅方向に突出し、摘持又は指掛け可能な指持部が前記吸水層に一体的に設けられており、
前記接着層は、前記吸水層の一面の少なくとも一部に設けられており、前記指持部には設けられていないことを特徴とする便器用吸液具。
【請求項２】
前記指持部は、前記吸水層の弧の凸側へ突出していることを特徴とする請求項１に記載の便器用吸液具。
【請求項３】
前記吸水層は、第１の吸水層と、前記一面を有する第２の吸水層とを有し、
前記指持部は、前記第１及び第２の吸水層の少なくとも一方に設けられており、
前記第１及び第２の吸水層の間に介在し、前記第１又は第２の吸水層が吸収した水分を吸収保持する保水層を更に備えることを特徴とする請求項１又は２に記載の便器用吸液具。
【請求項４】
上部に開口を有する洋式便器の前記開口を縁取る上縁の形状に対応する弧帯状の平面形状を有する吸水層と、
前記上縁に着脱可能に接着する接着層と
を備える便器用吸液具において、
前記接着層は、前記吸水層の一面における長手方向両端部以外に全面的に設けられていることを特徴とする便器用吸液具。
【請求項５】
前記吸水層は、第１の吸水層と、前記一面を有する第２の吸水層とを有し、
前記第１及び第２の吸水層の間に介在し、前記第１又は第２の吸水層が吸収した水分を吸収保持する保水層を更に備えることを特徴とする請求項４に記載の便器用吸液具。
【請求項６】
前記第１の吸水層は、前記第２の吸水層よりも厚くしてあることを特徴とする請求項３又は５に記載の便器用吸液具。
【考案の詳細な説明】
【技術分野】
【０００１】
本考案は、洋式便器に配される便器用吸液具に関する。
【背景技術】
【０００２】
一般的な洋式トイレは、洋式便器（腰掛便器）と便座とを備える。
洋式便器は、上部に開口を有する。便座は、後部を洋式便器に枢支されており、前部が上げ下げされる。
下げられた便座の上面は座面である。以下では、座面の逆側の面を、便座裏という。
便座裏には、複数個の弾性突起が互いに離隔して突設されている。下げられた便座は、洋式便器の開口を縁取る上縁に、弾性突起を介在して支持される。便座が下げられたときの便座と洋式便器との衝突は、弾性突起によって緩衝される。
【０００３】
一般に、男性の小用は、便座を上げて洋式便器に対面する立ち姿勢にてなされる。このとき、小水の一部が便器上縁に付着することがある。小水の付着に気付かないまま便座を上げ下げすると、便座を把持した手に、便器上縁に付着した小水が触れ、不快な思いをすることがある。
また、下げられた便座の便座裏と便器上縁との間には、弾性突起の突出量に応じた隙間が生じる。故に、便座への着座姿勢にて小用がなされた場合、洋式便器の内部に受容されるべき小水の一部が洋式便器と便座との隙間を経て外部へ飛び出し、洋式便器及び洋式便器周辺の床面等を汚損する虞れがある。
【０００４】
近年、洗浄装置付きのトイレが普及している。洗浄装置は、局部又は肛門を洗浄する洗浄用水を噴射する。洗浄装置付きのトイレの場合、洗浄用水の一部が洋式便器と便座との隙間を経て外部へ飛び出し、洋式便器及び洋式便器周辺の床面等を汚損する虞れがある。
以下では、小水及び洗浄用水等を区別しない場合は水分という。
【０００５】
従来、便器上縁に配される便器用吸液具が公知である（特許文献１参照）。
特許文献１に記載の便器用吸液具（文中「便器用水止め具」）は、２層の吸水層（文中「透水層」）と、２層の吸水層の間に介在する保水層とを備える。２層の吸水層は、何れも、便器上縁の形状に対応する弧帯状の平面形状を有する。２層の吸水層の内、下側の吸水層の下面中央部には、真空吸着性を有する滑り止めパッドが設けられている。
【０００６】
この便器用吸液具は、滑り止めパッドが便器上縁に着脱可能に吸着することによって、便器上縁に配される。便器用吸液具に付着した水分は、まず、吸水層に吸収される。吸水層に吸収された水分は、保水層に吸収保持される。このため、洋式便器及び洋式便器周辺の汚損が抑制される。
水分の吸収保持によって汚損した便器用吸液具は、適宜のタイミングで取り換えられる。
【０００７】
便器用吸液具を洋式便器から取り外すときには、使用者は、便器用吸液具の端部を洋式便器から浮かし、浮いた部分を摘持する。便器用吸液具の端部を洋式便器から浮かすために、使用者は、例えば下側の吸水層の下面と便器上縁との間に指を挿入する。
【先行技術文献】
【特許文献】
【０００８】
【特許文献１】特開２０００−３２５２６０号公報
【考案の概要】
【考案が解決しようとする課題】
【０００９】
便器用吸液具は、使用時には無用に脱落又は位置ずれすることがなく、且つ、交換時には洋式便器から取り外し易いことが望まれる。
ところが、特許文献１に記載の便器用吸液具の場合、下側の吸水層の下面周縁部に滑り止めパッドが設けられていない。このため、便器用吸液具の便器上縁に対する接着面が狭い。従って、滑り止めパッドの吸着力が弱いと、使用時に便器用吸液具が無用に脱落又は位置ずれする虞がある。
【００１０】
特許文献１に記載の便器用吸液具の場合、下側の吸水層の下面全面に滑り止めパッドを設ければ、使用時の無用な脱落及び位置ずれは抑制される。ところが、このような構成では、滑り止めパッドが邪魔をして、下側の吸水層の下面と便器上縁との間に使用者の指を挿入し難いことがある。即ち、便器用吸液具が取り外し難い。
【００１１】
本考案は斯かる事情に鑑みてなされたものであり、その主たる目的は、無用に脱落及び位置ずれすることなく、且つ取り外し易い便器用吸液具を提供することにある。
【課題を解決するための手段】
【００１２】
第１考案に係る便器用吸液具は、上部に開口を有する洋式便器の前記開口を縁取る上縁の形状に対応する弧帯状の平面形状を有する吸水層と、前記上縁に着脱可能に接着する接着層とを備える便器用吸液具において、前記吸水層の幅方向に突出し、摘持又は指掛け可能な指持部が前記吸水層に一体的に設けられており、前記接着層は、前記吸水層の一面の少なくとも一部に設けられており、前記指持部には設けられていないことを特徴とする。
【００１３】
第２考案に係る便器用吸液具は、前記指持部は、前記吸水層の弧の凸側へ突出していることを特徴とする。
【００１４】
第３考案に係る便器用吸液具は、前記吸水層は、第１の吸水層と、前記一面を有する第２の吸水層とを有し、前記指持部は、前記第１及び第２の吸水層の少なくとも一方に設けられており、前記第１及び第２の吸水層の間に介在し、前記第１又は第２の吸水層が吸収した水分を吸収保持する保水層を更に備えることを特徴とする。
【００１５】
第４考案に係る便器用吸液具は、上部に開口を有する洋式便器の前記開口を縁取る上縁の形状に対応する弧帯状の平面形状を有する吸水層と、前記上縁に着脱可能に接着する接着層とを備える便器用吸液具において、前記接着層は、前記吸水層の一面における長手方向両端部以外に全面的に設けられている。
【００１６】
第５考案に係る便器用吸液具は、前記吸水層は、第１の吸水層と、前記一面を有する第２の吸水層とを有し、前記第１及び第２の吸水層の間に介在し、前記第１又は第２の吸水層が吸収した水分を吸収保持する保水層を更に備えることを特徴とする。
【００１７】
第６考案に係る便器用吸液具は、前記第１の吸水層は、前記第２の吸水層よりも厚くしてあることを特徴とする。
【００１８】
第１考案にあっては、便器用吸液具は、洋式便器の開口を縁取る上縁に配される。このために、接着層が便器上縁に着脱可能に接着する。
吸水層は、弧状帯状の平面形状を有する。吸水層の平面形状は、便器上縁の形状に対応する。
接着層は吸水層の一面の少なくとも一部に設けられている。
便器上縁に便器用吸液具が配されていると、便器用吸液具の吸水層が水分を吸収するため、水分による洋式便器及び洋式便器周辺の汚損が抑制される。
【００１９】
指持部は、吸水層に一体的に設けられている。指持部の、吸水層からの突出方向は、吸水層の幅方向である。このため、便器上縁に便器用吸液具が配されていると、指持部は便器上縁から突出する。従って、指持部のサイズが大きければ、使用者が指持部を摘持することは容易である。また、指持部のサイズが摘持には不向きなほど小さい場合でも、使用者が指持部に指を引っ掛けることによって吸水層を持ち上げれば、吸水層と便器上縁との間に空隙が生じるため、吸水層を摘持することは容易である。
【００２０】
指持部には接着層が設けられていない。仮に、指持部が洋式便器に接着されていると、指持部を摘持したり指持部に指を引っ掛けたりすることが難しくなる。換言すれば、接着層が設けられていない指持部は、摘持又は指掛けが容易である。
以上のように、指持部を利用すれば便器用吸液具の取り外しは容易である。従って、便器用吸液具の取り外しを容易にするために、接着層を設ける範囲を無用に制限する必要はない。このため、便器用吸液具の便器上縁に対する接着面が広い。この結果、便器用吸液具の無用な脱落及び位置ずれが抑制される。
【００２１】
第２考案にあっては、指持部は、吸水層の弧の凸側へ突出している。このため、接着層が便器上縁に接着されている場合、指持部は、洋式便器の外部側へ突出する。仮に、指持部が、吸水層の弧の凹側へ突出していると、指持部は、洋式便器の内部側へ突出する。
洋式便器の内部は水分を受容する。仮に、指持部が洋式便器の内部側へ突出していると、洋式便器の内部に受容されるべき水分が指持部に付着し易くなる。この結果、指持部が無用に汚損する。換言すれば、洋式便器の外部側へ突出する指持部は、洋式便器の内部に受容されるべき水分によって無用に汚損することを抑制することができる。
【００２２】
使用者が便器用吸液具を取り外す際に、汚損が少ない指持部に触れることは、汚損が多い指持部に触れる場合よりも、使用者の手の汚損及び心理的な抵抗感を低減することができる。
【００２３】
第４考案にあっては、便器用吸液具は、洋式便器の開口を縁取る上縁に配される。このために、接着層が便器上縁に着脱可能に接着する。
吸水層は、弧状帯状の平面形状を有する。吸水層の平面形状は、便器上縁の形状に対応する。
接着層は吸水層の一面における長手方向両端部以外に全面的に設けられている。このため、便器用吸液具の便器上縁に対する接着面が広い。この結果、便器用吸液具の無用な脱落及び位置ずれが抑制される。吸水層における接着層が設けられた一面は、接着層が便器上縁に接着すると、吸水層の下面となる。
【００２４】
便器上縁に便器用吸液具が配されていると、便器用吸液具の吸水層が水分を吸収するため、水分による洋式便器及び洋式便器周辺の汚損が抑制される。
便器用吸液具を洋式便器から取り外すときには、使用者は、吸水層の長手方向両端部の内、少なくとも一方を洋式便器から浮かし、浮いた部分を摘持する。吸水層を洋式便器から浮かすために、使用者は、吸水層の長手方向一端部の下面と便器上縁との間に指を挿入する。吸水層の下面における長手方向両端部には接着層は設けられていない。このため、便器用吸液具の洋式便器からの取り外しを接着層が阻害することはない。
【００２５】
第３考案又は第５考案にあっては、便器用吸液具は、第１の吸水層を上側にし、第２の吸水層を下側にして、便器上縁に配される。第１の吸水層又は第２の吸水層が吸収した水分は、保水層が吸収保持する。このため、吸水層のみで構成されている便器用吸液具よりも吸水量を向上させることができる。また、一旦吸収した水分が便器用吸液具から漏出することを抑制することができる。
第３考案の場合、指持部は、第１及び第２の吸水層の何れか一方に設けられていてもよく、両方に設けられていてもよい。つまり、指持部を設ける位置が無用に限定されないため、設計の自由度が高い。
【００２６】
第６考案にあっては、便器用吸液具は、便器上縁に配されたときに上側に位置する第１の吸水層の方が、下側に位置する第２の吸水層よりも厚い。
水分は、第１の吸水層の上面か、又は、各吸水層の側面に付着することによって、各吸水層に吸収される。このため、第１及び第２の吸水層夫々の厚みが同じであったとしても、第１の吸水層の方が、第２の吸水層よりも水分が付着し易い。水分が付着し易い第１の吸水層が厚いと、水分は効率的に吸収される。
【００２７】
一方、水分が付着し難い第２の吸水層を第１の吸水層以上に厚くしても、効率的な吸水には寄与しない。そればかりか、便器用吸液具が無用に厚くなり、便器用吸液具に当接した便座が洋式便器から浮いてしまう虞がある。
換言すれば、第１の吸水層が厚く、第２の吸水層が薄い便器用吸液具は、効率よく水分を吸収し、且つ、洋式便器と便座との間に好適に収まることができる。
【考案の効果】
【００２８】
本考案の便器用吸液具による場合、指持部を利用すれば、便器用吸液具を容易に摘持することができる。このため、便器用吸液具を洋式便器から容易に取り外すことができる。また、便器用吸液具の便器上縁に対する接着面を最大限にすることができる。この結果、便器用吸液具の無用な脱落及び位置ずれを抑制することができる。
【００２９】
本考案の便器用吸液具による場合、吸水層の長手方向両端部の少なくとも一方を利用すれば、便器用吸液具を容易に摘持することができる。このため、便器用吸液具を洋式便器から容易に取り外すことができる。また、便器用吸液具の便器上縁に対する接着面を最大限にすることができる。この結果、便器用吸液具の無用な脱落及び位置ずれを抑制することができる。
【図面の簡単な説明】
【００３０】
【図１】本考案の実施の形態１に係る便器用吸液具の構成を示す上側から見た斜視図である。
【図２】便器用吸液具の構成を示す下面図である。
【図３】便器用吸液具の使用状態を示す斜視図である。
【図４】便器用吸液具の使用状態を示す斜視図である。
【図５】便器用吸液具の使用状態を示す正面図である。
【図６】本考案の実施の形態２に係る便器用吸液具の構成を示す下側から見た斜視図である。
【考案を実施するための形態】
【００３１】
以下、本考案を、その実施の形態を示す図面に基づいて詳述する。以下の説明では、図において矢符で示す上下、前後、及び左右を使用する。
【００３２】
実施の形態  １．
図１は、本考案の実施の形態１に係る便器用吸液具１の構成を示す上側から見た斜視図である。
図２は、便器用吸液具１の構成を示す下面図である。
図３及び図４並びに図５は、便器用吸液具１の使用状態を示す斜視図並びに正面図である。図３は、後述する便座２２が上げられている状態を示しており、図４及び図５は、便座２２が下げられている状態を示している。図５には、後述する便蓋２３の図示は省略している。
【００３３】
まず、図３〜図５に示すトイレ２の構成について説明する。
トイレ２は、一般的な洋式のものである。トイレ２は、便器２１、便座２２、及び便蓋２３を備えている。
便器２１は、洋式便器である。便器２１は、上部に開口（以下、便器開口という）２ａを有する。
便器開口２ａを縁取る上縁（以下、便器上縁という）２ｂは、帯状の平坦面である。特に、便器上縁２ｂの前部は、弧帯状をなす。
便器２１の後部には、左右方向を軸長方向とした枢軸２１０が配されている。
【００３４】
便座２２はＯ型便座である。便座２２は、環状の板状をなす。
便座２２の中央部には、便器開口２ａに対応して、空孔２２０が設けられている。
便座２２の後部は、枢軸２１０を介して便器２１に回動可能に支持されている。このため、便座２２は、便座２２の前部を上げ下げすることによって、枢軸２１０を中心に揺動可能である。
便器２１に対面する立ち姿勢にてトイレ２を使用する場合、便座２２は上げられる。
【００３５】
便座２２に着座してトイレ２を使用する場合、便座２２は下げられる。便座２２が下げられた場合における便座２２の上面は座面であり、下面は便座裏２２ａである。
便座裏２２ａには、４個の弾性突起２２１，２２１，…が突設してある。このため、下げられた便座２２の便座裏２２ａと便器上縁２ｂとが対面配置される。このとき、弾性突起２２１，２２１，…は、便器上縁２ｂに接触して便座２２を支持する。
弾性突起２２１，２２１，…は、便座裏２２ａの前部及び後部を除く便座裏２２ａの左部及び右部に、２個ずつ適長離隔配置されている。
【００３６】
下げられた便座２２の便座裏２２ａと便器上縁２ｂとの間には、弾性突起２２１，２２１，…が介在しているため、隙間ａが生じる。また、便座２２が便器２１に直接的に当接することがない。更に、便座２２が下げられたときの便座２２と便器２１との衝突が緩和される。
便蓋２３は、便座２２を覆う卵型の板状をなす。便蓋２３の後部は、枢軸２１０を介して便器２１に回動可能に支持されている。このため、便蓋２３の前部が下げられると、下方へ揺動した便蓋２３によって便座２２が被覆される。一方、便蓋２３の前部が上げられると、便蓋２３が上方へ揺動し、便座２２から離隔する。
【００３７】
なお、トイレ２は、図示しない洗浄装置を備えていてもよい。洗浄装置は図示しない噴射ノズルを備えている。噴射ノズルは、便器２１の内部に対して出没する。便器２１の内部に突出した噴射ノズルからは、局部又は肛門を洗浄する洗浄用水が噴射される。
【００３８】
次に、図１〜図５を参照しつつ、便器用吸液具１の構成について説明する。
便器用吸液具１は、吸水層１１及び接着層１３を備えている。
吸水層１１は、不織布又はスポンジ等を用いて、吸水性及び弾性を有する板状になしてある。吸水層１１は、弧帯状の平面形状を有する。吸水層１１の平面形状は、便器上縁２ｂの前部の形状に対応している。吸水層１１の厚みは隙間ａの高さに対応している。吸水層１１の幅は便器上縁２ｂの幅に対応している。
【００３９】
なお、吸水層１１は消臭性（特に、アンモニア臭に対する消臭性）を有していてもよい。このために、吸水層１１は活性炭粉末又は消臭剤等を担持している。吸水層１１が不織布を用いてなる場合には、不織布が消臭性繊維を用いて構成されていてもよい。
【００４０】
吸水層１１の長手方向両端部には、指持部１２，１２が一体に設けられている。故に、各指持部１２も吸水性及び弾性を有する。各指持部１２の厚みは吸水層１１の厚みに等しい。各指持部１２は、角部が丸い三角形状の平面形状を有し、三角形の一辺が、吸水層１１の長手方向両端の外形線から延長されており、三角形の他の一辺が、吸水層１１に一体である。
各指持部１２の突出方向は、吸水層１１の幅方向であり、且つ、吸水層１１の円弧の凸側である。
吸水層１１及び指持部１２，１２は、不織布又はスポンジ等を用いてなるシートを所望の形状に裁断してなる。
【００４１】
吸水層１１の下面の長手方向中央部には、弧帯状の平面形状を有する接着層１３が設けられている。接着層１３の幅は吸水層１１の幅に等しいが、接着層１３の長手方向の長さは吸水層１１の長手方向の長さよりも短い。
接着層１３は、吸水層１１の下面に接着剤が塗布されることによって形成された薄層状になしてある。接着層１３は、便器２１に対して着脱可能な接着性を有する。工場出荷時には、接着層１３は、図示しない剥離紙によって覆われている。
接着層１３の厚みは、吸水層１１の厚みに比べれば無視することができる。このため、便器用吸液具１の厚みは吸水層１１の厚みと看做せる。
【００４２】
なお、便器用吸液具１が備える接着層は、接着層１３に限定されるものではない。例えば、接着層は、吸水層１１の下面に貼着された両面テープ状のものを用いてなる構成でもよい。両面テープ状の接着層は、一面が吸水層１１に対して接着固定され、他面が便器２１に対して着脱可能に接着する。
【００４３】
吸水層１１の下面の長手方向両端部には、接着層１３は設けられていない。また、各指持部１２の下面にも、接着層１３は設けられていない。各指持部１２の下面は、吸水層１１の下面における接着層１３が設けられていない部分に連続している。図２においては、接着層１３が設けられていない部分（非接着領域）をハッチングで示している。
【００４４】
便器用吸液具１は使い捨てでもよく、洗浄によって再使用可能でもよい。
なお、吸水層１１に吸収された水分が吸水層１１又は指持部１２，１２から漏出しないように、吸水層１１の表面及び／又は指持部１２，１２夫々の表面に、防水層が形成してあってもよい。ただし、防水層は、吸水層１１による吸水及び接着層１３による接着を妨げない位置に形成される。
【００４５】
次に、便器用吸液具１の使用手順について説明する。
使用者は、まず、接着層１３を覆う剥離紙を除去する。次いで、吸水層１１の円弧の凸側が前側になるように、接着層１３を便器上縁２ｂの前部に接着させる。この結果、便器用吸液具１は、吸水層１１が便器上縁２ｂの前部を覆い、指持部１２，１２が便器上縁２ｂから前方に突出する姿勢で、便器２１に配される。
【００４６】
便器用吸液具１を便器２１に配した後で便座２２を下げれば、吸水層１１は、便器上縁２ｂの前部と、便座裏２２ａ前部との間を閉塞する。即ち、吸水層１１は隙間ａを閉塞する。このとき、吸水層１１は、下げられた便座２２の弾性突起２２１，２２１間に配される。換言すれば、吸水層１１が、下げられた便座２２の弾性突起２２１と便器上縁２ｂとの間に介在することはない。
吸水層１１の下面には、長手方向両端部を除いて全面的に接着層１３が設けられている。このため、便器用吸液具１の便器上縁２ｂに対する接着面は広い。故に、便座２２が上げられていたとしても、便器用吸液具１の無用の脱落及び位置ずれを抑制することができる。
【００４７】
ここで、吸水層１１の下面周縁部の全周に亘って接着層１３が設けられていない場合を考える。この場合、便器用吸液具１の便器２１からの取り外しの際に、後述するように指持部１２を利用しなくても、使用者が吸水層１１の下面と便器上縁２ｂとの間に指を挿入すれば、吸水層１１、延いては便器用吸液具１を摘持して、便器用吸液具１を便器２１から取り外すことができる。このとき、指の挿入位置は、吸水層１１の長手方向両端部に限定されない。つまり、便器用吸液具１の取り外しの自由度が高まる。ところが、便器用吸液具１の便器上縁２ｂに対する接着面が狭くなるため、接着層１３の接着力が弱いと、便器用吸液具１の無用の脱落又は位置ずれを招く虞がある。かといって、接着層１３の接着力が強すぎれば、便器用吸液具１の取り外しに支障を来す虞がある。
【００４８】
次に、便器用吸液具１による水分の吸収について説明する。
小用、或いは洗浄装置の使用等によって、水分が便器２１の内部に受容されることなく滴下又は飛散等した場合、滴下又は飛散等した水分は、吸水層１１の上面又は後端面に付着する。吸水層１１に付着した水分は、吸水層１１に吸収される。
【００４９】
吸水層１１によって便器上縁２ｂが覆われているため、水分が便器上縁２ｂに付着する虞はない。従って、便器上縁２ｂが、水分によって汚損される虞はない。更に、便座２２を把持した手に、便器上縁２ｂに付着している水分が触れる虞もない。
また、吸水層１１によって隙間ａが閉塞されているため、水分が隙間ａを経て外部へ飛び出す虞はない。従って、便器２１及び便器２１の周辺の床面等が水分によって汚損される虞はない。
【００５０】
指持部１２，１２は、便器上縁２ｂから前方へ、即ち便器２１の外部側へ突出している。仮に、指持部１２，１２が便器２１の内部側へ突出していると、指持部１２，１２が存在しなければ便器２１の内部に受容されるはずだった水分まで指持部１２，１２、延いては吸水層１１が吸水してしまう。このため、便器用吸液具１が無用に汚損する。
【００５１】
さて、使用者は、水分の吸収によって汚損された便器用吸液具１を便器２１から取り外し、新たな便器用吸液具１を便器２１に配置する。
便器用吸液具１の取り外しは、便器用吸液具１を交換する場合の他、便器２１を清掃する場合にも行なわれる。
【００５２】
便器用吸液具１を便器２１から取り外す場合、使用者は、指持部１２，１２の一方に指を引っ掛けて、指持部１２、延いては吸水層１１の、指持部１２に連続している端部（即ち、吸水層１１の長手方向一端部）を持ち上げる。吸水層１１の長手方向両端部には接着層１３が設けられていないため、吸水層１１は指持部１２の持ち上げに伴って容易に持ち上がる。この結果、吸水層１１と便器上縁２ｂとの間に空隙が生じる。使用者は、このようにして生じた空隙に指を挿入し、吸水層１１を摘持する。そして、摘持した吸水層１１を持ち上げることによって、接着層１３を便器上縁２ｂから引き剥がす。即ち、使用者は、便器用吸液具１を便器２１から取り外す。
【００５３】
各指持部１２には接着層１３が設けられていない。従って、指持部１２が、便器２１又は使用者の指等に無用に接着し、便器用吸液具１の取り外しを阻害する虞はない。
なお、便器用吸液具１を便器２１から取り外す場合、使用者は、便器上縁２ｂの前方に突出している指持部１２，１２の一方を摘持してもよい。このとき、使用者は、摘持した指持部１２、延いては吸水層１１を持ち上げることによって、接着層１３を便器上縁２ｂから引き剥がす。即ち、使用者は、便器用吸液具１を便器２１から取り外す。
【００５４】
指持部１２を摘持して取り外す便器用吸液具１の場合、吸水層１１の下面全面に接着層１３が設けられていてもよい。何故ならば、この場合には、吸水層１１を摘持する必要がないからである。
また、１個の指持部１２が、吸水層１１の長手方向中央部に設けられていてもよい。この場合、吸水層１１の下面周縁部における指持部１２の近傍を除く吸水層１１の下面に全面的に接着層１３が設けられていてもよい。
【００５５】
以上のような便器用吸液具１の取り外しの際、使用者は、便器用吸液具１を摘持するために便器２１に触れる必要はない。また、指持部１２を利用して吸水層１１を摘持するか、又は指持部１２を摘持すれば、便器用吸液具１を取り外せることは、直感的に理解することができる。このため、指持部１２を利用すれば、便器２１に直接触れたくない使用者や便器用吸液具１を初めて取り外す使用者であっても、容易に便器用吸液具１を取り外すことができる。
ところで、吸水層１１は吸水性のみならず弾性も有する。このため、弾性突起２２１，２２１，…と同様に、便座２２が下げられたときの便座２２と便器２１との衝突を緩和することができる。
【００５６】
なお、便座２２は、Ｕ型便座でもよい。この場合、吸水層１１の上面の一部が、便座２２における２個の前端部同士の間から露出するが、機能的に問題が生じることはない。
また、使用者は、複数個の便器用吸液具１，１，…を、便器上縁２ｂの前部のみならず、便器上縁２ｂの左部、右部、及び後部等にも配してもよい。ただし、便器用吸液具１が存在しない場合に水分による汚損が最も生じ易いのは便器上縁２ｂの前部であるため、少なくともここに便器用吸液具１が配されていれば、便器２１及び便器２１周辺の汚損を十分に抑制することができる。
【００５７】
ここで、指持部が、吸水層１１から吸水層１１の長手方向に突出している場合について考える。この場合、指持部が便器上縁２ｂから突出しないため、指持部を摘持したり指持部に指を引っ掛けたりし難い。
なお、便器用吸液具１は指持部１２，１２を備えていない構成でもよい。この場合、便器用吸液具１の便器２１からの取り外しの際に、使用者が吸水層１１の長手方向一端部の下面と便器上縁２ｂとの間に指を挿入すれば、吸水層１１、延いては便器用吸液具１を摘持して、便器用吸液具１を便器２１から取り外すことができる。
【００５８】
実施の形態  ２．
図６は、本考案の実施の形態２に係る便器用吸液具３の構成を示す下側から見た斜視図である。
以下では、実施の形態１との差異について説明し、その他、実施の形態１に対応する部分には同一符号を付してそれらの説明を省略する。
【００５９】
便器用吸液具３は、第１及び第２の吸水層３１，３２と、保水層３３と、接着層３５とを備えている。第１及び第２の吸水層３１，３２並びに保水層３３夫々の平面視の形状及び寸法は、実施の形態１の吸水層１１の平面視の形状及び寸法に等しい。接着層３５の平面視の形状及び寸法は、実施の形態１の接着層１３の平面視の形状及び寸法に等しい。
第１及び第２の吸水層３１，３２夫々は、不織布又はスポンジ等を用いて、吸水性及び弾性を有するよう構成されている。第１の吸水層３１は、第２の吸水層３２よりも厚い。
【００６０】
保水層３３は、シート状の保水材を用いてなる。保水層３３を構成すべき保水材としては、紙おむつ又は生理用品等に用いられる吸水性ポリマーが好適である。保水層３３は、第１の吸水層３１の下面と第２の吸水層３２の上面との間に積層されている。
保水層３３と第１及び第２の吸水層３１，３２夫々とは、例えば接着によって一体化されている。ただし、第１及び第２の吸水層３１，３２から保水層３３への水分の移動が阻害されることはない。
【００６１】
第１の吸水層３１の長手方向両端部には、指持部３１１，３１１が一体に設けられている。第２の吸水層３２の長手方向両端部には、指持部３２１，３２１が一体に設けられている。保水層３３の長手方向両端部には、指持部３３１，３３１が一体に設けられている。各指持部３１１，３２１，３３１は、第１及び第２の吸水層３１，３２並びに保水層３３の一体化に伴って一体化されている。指持部３１１，３２１，３３１夫々の平面視の形状及び寸法、並びに配置位置及び突出方向は、実施の形態１の指持部１２のそれらに等しい。
以下では、一体化されている指持部３１１，３２１，３３１を、指持部３４という。
【００６２】
第２の吸水層３２の下面における長手方向中央部には、接着層３５が設けられている。接着層３５は、真空吸着性を有する平面視弧帯状のパッドである。接着層３５の幅は第２の吸水層３２の幅に等しい。接着層３５の長手方向の長さは第２の吸水層３２の長手方向の長さよりも短い。接着層３５の上面は、第２の吸水層３２の下面に、例えば貼着によって固定してある。接着層３５は、例えば、ウレタン系の合成樹脂を発泡せしめて構成されたシートを所望の形状に裁断してなる。接着層３５の下面が便器上縁２ｂに押し付けられたとき、接着層３５の下面に露出している多数の気泡の夫々が、内部空気の排出によって、真空吸着作用をなす。このような接着層３５は、便器２１に対して着脱可能な接着性を有する。
【００６３】
第２の吸水層３２の下面における長手方向両端部には、接着層３５は設けられていない。また、各指持部３４の最下面（即ち、各指持部３２１の下面）にも、接着層３５は設けられていない。各指持部３４の最下面は、第２の吸水層３２の下面における接着層３５が設けられていない部分に連続している。図６においては、接着層３５が設けられていない非接着領域をハッチングで示している。
便器用吸液具３の最大厚み、即ち、第１及び第２の吸水層３１，３２、保水層３３、並びに接着層３５夫々の厚みの和は、隙間ａの高さに対応している。
【００６４】
以上のような便器用吸液具３は、実施の形態１の便器用吸液具１と同様に使用され、便器用吸液具１と略同様の作用効果を奏する。
更に詳細には、使用者は、接着層３５を便器上縁２ｂの前部に着脱可能に接着させる。この結果、便器用吸液具３は便器２１に配される。
【００６５】
滴下又は飛散等した水分は、第１の吸水層３１の上面又は第１及び第２の吸水層３１，３２夫々の後端面に付着する。第１及び第２の吸水層３１，３２に付着した水分は、第１及び第２の吸水層３１，３２に吸収される。このとき、水分が付着し易い第１の吸水層３１の方が、水分が付着し難い第２の吸水層３２よりも厚いため、第１及び第２の吸水層３１，３２による吸水は効率よく行なわれる。
第１及び第２の吸水層３１，３２に吸収された水分は、更に保水層３３に吸収され、保持される。この結果、便器用吸液具３全体の吸水量が向上する。また、便器用吸液具３に吸収された水分が便器用吸液具３から漏出することが抑制される。
【００６６】
便器用吸液具３を便器２１から取り外す場合、使用者は、指持部３４，３４の一方に指を引っ掛けて、指持部３４、延いては第１及び第２の吸水層３１，３２と保水層３３との積層体の、指持部３４に連続している端部（即ち、この積層体の長手方向一端部）を持ち上げる。次いで、使用者は、この積層体を摘持する。或いは、使用者は指持部３４を摘持する。何れにせよ、使用者は、摘持した便器用吸液具３を便器２１から取り外す。
【００６７】
今回開示された実施の形態は、全ての点で例示であって、制限的なものではないと考えられるべきである。本考案の範囲は、上述した意味ではなく、実用新案登録請求の範囲と均等の意味及び実用新案登録請求の範囲内での全ての変更が含まれることが意図される。
また、本考案の効果がある限りにおいて、便器用吸液具１，３に、実施の形態１，２に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００６８】
１，３  便器用吸液具
１１  吸水層
１２，３４  指持部
１３，３５  接着層
２１  便器（洋式便器）
２ａ  便器開口（開口）
２ｂ  便器上縁（上縁）
３１  第１の吸水層
３２  第２の吸水層
３３  保水層
【図１】
0003189052.tif 000003
【図２】
0003189052.tif 000004
【図３】
0003189052.tif 000005
【図４】
0003189052.tif 000006
【図５】
0003189052.tif 000007
【図６】
0003189052.tif 000008